(57)【要約】【課題】重量の増加を生じることなく、ＴＰＯに応じて外観を容易に変更可能で且つデザイン性に優れた眼鏡フレームを提供することを課題とする。【解決手段】眼鏡フレーム１は、左右一対のテンプル５の間に介在する前枠本体２１と、上部が前枠本体２１に対して着脱自在に取り付けられるリム２２とを備えている。よって、リム２２を前枠本体２１に対して付け替えることができ、リム２２を付け替えることで、眼鏡フレーム１の外観を変更することが可能である。従って、ＴＰＯに応じたリム２２を前枠本体２１に取り付けることで、眼鏡フレーム１の外観をＴＰＯに応じた外観に変更することが可能である。また、リム２２の付け替えによって外観の変更が可能であるので、外観の変更に伴って眼鏡フレーム１に新たな部材を取り付ける必要が無いので、重量を増加させずに外観を変更することが可能である。【選択図】  図１  
0003117148.tif 000002
【実用新案登録請求の範囲】
【請求項１】
左右一対のテンプルの間に介在する前枠を備えた眼鏡フレームであって、前記前枠は、前記左右一対のテンプルに連結された細長部材からなる前枠本体と、上部が前記前枠本体に着脱自在に取り付けられる左右一対のリムとを備えることを特徴とする眼鏡フレーム。
【請求項２】
前記前枠本体及び前記リムの上部の何れか一方に磁石が設けられると共に、前記前枠本体及び前記リムの上部の何れか他方に前記磁石と磁着する磁着手段が設けられていることを特徴とする請求項１に記載の眼鏡フレーム。
【請求項３】
前記前枠本体及び前記リムの上部の何れか一方に凸部が設けられると共に、前記前枠本体及び前記リムの上部の何れか他方に前記凸部と嵌合する凹部が設けられていることを特徴とする請求項１に記載の眼鏡フレーム。
【請求項４】
前記前枠本体及び前記リムの上部の何れか一方に磁石が設けられると共に、前記前枠本体及び前記リムの上部の何れか他方に前記磁石と磁着する磁着手段が設けられ、
前記前枠本体及び前記リムの上部の何れか一方に凸部が設けられると共に、前記前枠本体及び前記リムの上部の何れか他方に前記凸部と嵌合する凹部が設けられていることを特徴とする請求項１に記載の眼鏡フレーム。
【考案の詳細な説明】
【技術分野】
【０００１】
本考案は、外観を容易に変更可能で且つデザイン性に優れた眼鏡フレームに関する。  
【背景技術】
【０００２】
近年の眼鏡フレームに対するファッション性、デザイン性等の装飾機能重視の傾向に鑑みれば、外観をＴＰＯ（時（Time）、所（Place）、場所（Occasion））に応じて変更可能にするために、眼鏡フレームの前面に重ね合わせて着脱可能に取り付けられる種々の前掛眼鏡フレームが提案されている（例えば、特許文献１参照）。
【特許文献１】特許第３３５５１２０号公報
【考案の開示】
【考案が解決しようとする課題】
【０００３】
ところで、前記したように従来の前掛眼鏡フレームは、専ら眼鏡フレームの前面に重ね合わせて取り付けられるため、眼鏡フレームが前掛眼鏡フレームに隠蔽され易く、眼鏡フレーム自体のデザインが生かされ難いという問題がある。さらに、眼鏡フレームの前面に前掛眼鏡フレームを重ね合わせると、眼鏡フレームの前枠と前掛眼鏡フレームの前枠とが重なって、側面視において前枠が２重になるため、フレーム全体としてのデザイン性が損なわれるという問題もある。また、眼鏡フレームに前掛眼鏡フレームを取り付けると、前掛眼鏡フレームの重さ分だけフレーム全体が重くなり、前掛眼鏡フレームの重さによっては、使用者に不快感を与えたり、長時間の使用により疲労感を与えたりすることもある。
【０００４】
本考案は、斯かる従来技術の問題点を解決するべくなされたものであり、重量の増加を生じることなく、ＴＰＯに応じて外観を容易に変更可能で且つデザイン性に優れた眼鏡フレームを提供することを課題とする。
【課題を解決するための手段】
【０００５】
前記課題を解決するべく、本考案は、実用新案登録請求の範囲の請求項１に記載の如く、左右一対のテンプルの間に介在する前枠を備えた眼鏡フレームであって、前記前枠は、前記左右一対のテンプルに連結された細長部材からなる前枠本体と、上部が前記前枠本体に着脱自在に取り付けられる左右一対のリムとを備えることを特徴とする眼鏡フレームを提供するものである。
【０００６】
本考案の眼鏡フレームは、上部が前枠本体に着脱自在に取り付けられる左右一対のリムを備えているため、リムを付け替えることができる。従って、本考案の眼鏡フレームは、ＴＰＯに応じたリムを前枠本体に取り付けることによって、ＴＰＯに応じて外観を容易に変更することができる。このように本考案の眼鏡フレームは、リムを付け替えるだけで外観を変更できるので、外観の変更のために、従来のように前掛眼鏡フレームを眼鏡フレームに取り付ける必要がない。従って、本考案の眼鏡フレームは、眼鏡フレームが前掛眼鏡フレームに隠蔽されることがなく、眼鏡フレーム自体のデザインを生かしつつ外観を変更することが可能である。また、本考案の眼鏡フレームは、リムの付け替えによって外観を変更できるため、従来のように眼鏡フレームの前枠と前掛眼鏡フレームの前枠とが重なり、側面視において前枠が２重になることがないので、デザイン性に優れる。さらに、本考案の眼鏡フレームは、外観の変更に前掛眼鏡フレームが不要であるため、眼鏡フレームの重量を増加させずに外観を変更でき、重量の増加による不快感や疲労感を使用者に与える問題を解消することもできる。
【０００７】
リムを前枠本体に着脱自在に取り付けるための具体的構成としては、例えば、実用新案登録請求の範囲の請求項２に記載の如く、前記前枠本体及び前記リムの上部の何れか一方に磁石が設けられると共に、前記前枠本体及び前記リムの上部の何れか他方に前記磁石と磁着する磁着手段が設けられる構成を挙げることができる。
【０００８】
斯かる構成によれば、磁石と磁着手段とを磁着させることにより、前枠本体にリムを簡易且つ確実に取り付けることができる。
【０００９】
或いは、実用新案登録請求の範囲の請求項３に記載の如く、前記前枠本体及び前記リムの上部の何れか一方に凸部が設けられると共に、前記前枠本体及び前記リムの上部の何れか他方に前記凸部と嵌合する凹部が設けられる構成としてもよい。
【００１０】
斯かる構成によれば、凸部と凹部とを嵌合させることにより、前枠本体にリムを簡易且つ確実に取り付けることができる。  
【００１１】
また、好ましくは、実用新案登録請求の範囲の請求項４に記載の如く、前記前枠本体及び前記リムの上部の何れか一方に磁石が設けられると共に、前記前枠本体及び前記リムの上部の何れか他方に前記磁石と磁着する磁着手段が設けられ、前記前枠本体及び前記リムの上部の何れか一方に凸部が設けられると共に、前記前枠本体及び前記リムの上部の何れか他方に前記凸部と嵌合する凹部が設けられる構成とされる。
【００１２】
斯かる構成によれば、磁石と磁着手段との磁着、及び凸部と凹部との嵌合を併用することにより、前枠本体とリムとの取り付けに磁着又は嵌合の一方を利用する場合に比べて、前枠本体とリムとをより確実に取り付けることができる。
【考案の効果】
【００１３】
本考案によれば、重量の増加を生じることなく、ＴＰＯに応じて外観を容易に変更可能で且つデザイン性に優れた眼鏡フレームを提供することが可能である。
【考案を実施するための最良の形態】
【００１４】
以下、添付図面を参照しつつ、本考案の一実施形態に係る眼鏡フレームについて説明する。
【００１５】
図１（ａ）は、リム２２が前枠本体２１に取り付けられた状態の本実施形態に係る眼鏡フレーム１の正面図であり、図１（ｂ）は、リム２２が前枠本体２１に取り付けられた状態の本実施形態に係る眼鏡フレーム１の平面図である。図１（ａ）及び図１（ｂ）に示すように、本実施形態に係る眼鏡フレーム１は、左右一対のテンプル５の間に介在する前枠２を備え、この前枠２は、左右一対のテンプル５に連結された細長部材からなる前枠本体２１と、上部が前枠本体２１に着脱自在に取り付けられる左右一対のリム２２とを備えている。
【００１６】
前枠本体２１は、中央部に形成されたブリッジ２１４と、該ブリッジ２１４の左側に形成された左取付部２１２と、該ブリッジ２１４の右側に形成された右取付部２１３とを備えている。ブリッジ２１４には、左右一対のパッド２１４ａが取り付けられている。左右の各取付部２１２、２１３は、リム２２の上部を着脱自在に取り付けることができる構成となっている。さらに、前枠本体２１の左右の両端には、ヨロイ４が形成されている。本実施形態においては、ヨロイ４は、前枠本体２１と一体物として形成されている。前枠２１の両端に形成された各ヨロイ４は、丁番構造を介してテンプル５と連結されており、従って、前枠本体２１は、ヨロイ４を介してテンプル５と連結されていることになる。本実施形態の眼鏡フレーム１は、ブリッジ２１４を中心に左右対称の構造となっているので、以下では、眼鏡フレーム１の左側の構造を中心に説明し、右側の構造については適宜説明を省略する。
【００１７】
図２（ａ）は、前枠本体２１の左側の背面図であり、図２（ｂ）は、図２（ａ）の点線で囲った左取付部（以下、取付部という）２１２の拡大図である。図２（ａ）及び図２（ｂ）に示すように、取付部２１２には、前枠本体２１の後面（眼鏡フレーム１の使用者の頭部と対向する面）において外部に露出した磁石２１２ａと、この後面に形成された凹部２１２ｂとが設けられている。磁石２１２ａは、前枠本体２１に略全体が埋設され、上記のように後端面が前枠本体２１の後面において外部に露出している。このように磁石２１２ａの後端面を露出させるのは、磁着によってより確実に取付部２１２にリム２２を取り付けるためである。なお、前枠本体２１の後面に磁力が作用する限りにおいては、磁石２１２ａの後端面を露出することに代えて、磁石２１２ａ全体を前枠本体２１に完全に埋設するようにしてもよい。
【００１８】
一方、凹部２１２ｂは、本実施形態では、前枠本体２１の後面に形成された上下一対の凹溝２１２ｃによって構成されている。本実施形態においては、図２（ｂ）に示すように、取付部２１２には、３つの磁石２１２ａと２つの凹部２１２ｂとが左右方向に交互に配列されている。なお、磁石２１２ａ及び凹部２１２ｂの数は、特に限定されるものでなく、単数であっても、複数であってもよい。また、磁石２１２ａ及び凹部２１２ｂの配列形態は、特に限定されるものでなく、例えば、磁石２１２ａ又は凹部２１２ｂが左右方向に複数個連続して配列されてもよい。
【００１９】
図３（ａ）は、リム２２の正面図であり、図３（ｂ）は、リム２２の平面図である。図３（ａ）及び（ｂ）に示すように、リム２２は、透過性部材Ｌを着脱自在に支持するリム本体２２１と、リム２２の上部を形成する取付部材２２２とを備えている。リム本体２２１の形状、材質、色、模様などは特に限定されるものでなく、同様に、リム本体２２１に取り付けられる透過性部材Ｌの種類についても、特に限定されるものでない。リム本体２２１に取り付けることができる透過性部材Ｌとしては、度付きのレンズや、サングラス用のレンズなどを挙げることができる。
【００２０】
一方、取付部材２２２は、磁着手段２２２ａと凸部２２２ｂとで形成されている。磁着手段２２２ａは、リム本体２２１の上部（例えば、リム本体２２１に取り付けられた透過性部材Ｌよりも上側の位置）の前面（図３（ａ）の紙面手前側の面）に取り付けられている。この磁着手段２２２ａは、前述した取付部２１２の磁石２１２ａと磁着することが可能な構成となっている。本実施形態では、磁着手段２２２ａは、全体がステンレスなどの磁性体材料で形成されている。なお、磁着手段２２２ａは、磁性体材料に限らず、磁石２１２ａと互いに引き付け合う方向に磁極の向きが設定された磁石などで形成することも可能である。また、本実施形態では、磁着手段２２２ａの全体が磁性体材料で形成されているため、磁着手段２２２ａの全体が磁石２１２ａと磁着可能となっているが、磁着手段２２２ａは、一部分のみが磁石２１２ａと磁着可能な構成であってもよい。例えば、磁着手段２２２ａの前面のみ、或いは、磁石２１２ａと対向する部分のみが磁性体材料や磁石で形成され、磁着手段２２２ａの前面のみ、或いは、磁石２１２ａと対向する部分のみが磁石２１２ａと磁着可能な構成を採ることも可能である。
【００２１】
磁着手段２２２ａの前面には、凸部２２２ｂが形成されている。凸部２２２ｂは、前述した取付部２１２の凹部２１２ｂと嵌合可能な形状に形成されている。凸部２２２ｂは、本実施形態では、磁着手段２２２ａの前面に形成された上下一対の突起２２２ｃによって構成されている。なお、凸部２２２ｂは、凹部２１２ｂと同じ数（２つ）だけ形成される。
【００２２】
以上に説明した構成により、前枠本体２１とリム２２とは着脱自在に取り付けられる。具体的には、前枠本体２１の後面に設けられた２つの凹部２１２ｂに取付部材２２２の前面に設けられた２つの凸部２２２ｂを後方から（図４参照）差し込んで凹部２１２ｂと凸部２２２ｂとを嵌合させると共に、磁石２１２ａの後端面と磁着手段２２２ａの前面とを接触させる。これにより、凹部２１２ｂと凸部２２２ｂとが嵌合すると共に、磁石２１２ａと磁着手段２２２ａとが磁着し、前枠本体２１にリム２２が取り付けられることになる。また、前枠本体２１からリム２２を取り外すときは、凹部２１２ｂと凸部２２２ｂとの嵌合を解除する際に作用する摩擦力や、磁石２１２ａと磁着手段２２２ａとに働く磁力に抗してリム２２を前枠本体２１の後方に引っ張ることで、リム２２を前枠本体２１から外すことができる。
【００２３】
以上のように、眼鏡フレーム１は、前枠本体２１にリム２２が着脱自在な構成となっているため、リム２２を付け替えて外観を変更することができる。従って、眼鏡フレーム１は、ＴＰＯに応じたリム２２を前枠本体２１が取り付けられることによって、ＴＰＯに応じた外観に変更することができる。このように、眼鏡フレーム１は、リム２２を付け替えるだけで外観を変更できるので、外観の変更のために、従来のように、前掛眼鏡フレームを眼鏡フレーム１に取り付ける必要がない。従って、眼鏡フレーム１は、外観の変更によって前掛眼鏡フレームに隠蔽されることがなく、眼鏡フレーム自体のデザインを生かしつつ、外観を変更することが可能である。また、眼鏡フレーム１は、リム２２の付け替えによって外観を変更できるため、従来のように眼鏡フレーム１の前枠２と前掛眼鏡フレームの前枠が重なり、側面視において前枠が２重になることがないので、デザイン性に優れる。さらに、眼鏡フレーム１は、外観の変更に前掛眼鏡フレームが不要であるため、眼鏡フレーム１の重量を増加させずに外観を変更でき、眼鏡フレーム１の重量の増加による不快感や疲労感を使用者に与える問題を解消することもできる。
【００２４】
本実施形態のように、前枠本体２１に磁石２１２ａを設け、リム２２の上部に磁着手段２２２ａを設けることで、前枠本体２１とリム２２の上部とを磁着させることができる。また、前枠本体２１に凹部２１２ｂを設け、リム２２の上部に凸部２２２ｂを設けることで、凸部２２２ｂと凹部２１２ｂとを嵌合させることができる。このように眼鏡フレーム１は、磁着と嵌合との併用によって前枠本体２１とリム２２とを取り付ける構成となっているので、磁着又は嵌合の何れか一方のみを利用して前枠本体２１とリム２２とを取り付ける構成を採る場合に比べて、前枠本体２１とリム２２をより確実に取り付けることができる。なお、磁着手段２２２ａは、リム本体２２１と別部材とするのではなく、リム本体２２１と一体化した構成としてもよい。例えば、リム本体２２１のリム２２の上部を形成する部分（例えば、リム本体２２１に取り付けられた透過性部材Ｌよりも上側の部分）を磁性体材料や磁石で構成して、リム本体２２１のリム２２の上部を形成する部分を磁着手段２２２ａとしてもよい。
【００２５】
なお、本実施形態では、上記のように前枠本体２１とリム２２との取り付けをより確実にするために磁着と嵌合とを併用しているが、前枠本体２１とリム２２との取り付けは、磁着又は嵌合の何れか一方を利用して実施するようにしてもよい。例えば、磁着のみを利用して前枠本体２１とリム２２との取り付けを実施する場合は、前枠本体２１に凹部２１２ｂを設けず、また、リム２２の上部に凸部２２２ｂを設けなくてよい。また、嵌合のみを利用して前枠本体２１とリム２２との取り付けを実施する場合は、前枠本体２１に磁石２１２ａを設けず、また、リム２２の上部に磁着手段２２２ａを設けなくてもよい。
【００２６】
また、本実施形態では、前枠本体２１の後面にリム２２の上部の前面を取り付ける構成について説明したが、リム２２が取り付けられる前枠本体２１の位置、及び前枠本体２１に取り付けられるリム２２の位置は、特に限定されるものでない。例えば、前枠本体２１の前面にリム２２の上部の後面を取り付ける構成としてもよい。この構成の場合は、例えば、前枠本体２１の前面に磁力が作用するように磁石２１２ａを前枠本体２１に設けたり、前枠本体２１の前面に凹部２１２ｂを設けたりし、さらに、リム２２の上部の後面に磁着手段２２２ａや凸部２２２ｂを設けたりする。また、前枠本体２１の下面にリム２２の上部の上面を取り付ける構成としてもよい。この構成の場合は、例えば、前枠本体２１の下面に磁力が作用するように磁石２１２ａを前枠本体２１に設けたり、前枠本体２１の下面に凹部２１２ｂを設けたりし、さらに、リム２２の上部の上面に磁着手段２２２ａや凸部２２２ｂを設けたりする。
【００２７】
さらに、本実施形態では、前枠本体２１に磁石２１２ａが設けられ、リム２２の上部に磁着手段２２２ａが設けられている構成について説明したが、本考案に係る眼鏡フレームは、前枠本体２１に磁着手段２２２ａが設けられ、リム２２の上部に磁石２１２ａが設けられる構成であってもよい。同様に、本実施形態では、前枠本体２１に凹部２１２ｂが設けられ、リム２２の上部に凸部２２２ｂが設けられている構成について説明したが、本考案に係る眼鏡フレームは、前枠本体２１に凸部２２２ｂが設けられ、リム２２の上部に凹部２１２ｂが設けられる構成であってもよい。
【図面の簡単な説明】
【００２８】
【図１】図１（ａ）は、リムが前枠本体に取り付けられた状態の本実施形態に係る眼鏡フレームの正面図である。図１（ｂ）は、リムが前枠本体に取り付けられた状態の本実施形態に係る眼鏡フレームの平面図である。
【図２】図２（ａ）は、前枠本体の左側の背面図である。図２（ｂ）は、図２（ａ）の点線で囲った取付部の拡大図である。
【図３】図３（ａ）は、リムの正面図である、図３（ｂ）は、リムの平面図である。
【図４】前枠本体にリムを取り付ける動作についての説明図。
【符号の説明】
【００２９】
１  眼鏡フレーム
２  前枠
２１  前枠本体
２１２  取付部
２１２ａ  磁石
２１２ｂ  凹部
２２  リム
２２１  リム本体
２２２  取付部材
２２２ａ  磁着手段
２２２ｂ  凸部  
【図１】
0003117148.tif 000003
【図２】
0003117148.tif 000004
【図３】
0003117148.tif 000005
【図４】
0003117148.tif 000006